(57)【要約】【課題】  本発明は雌端部の内面成形用の型枠を装着が容易で、雌端部の内面の成形不良が生じないようにしたゴムによる部厚な角筒体とその内外端を強固に支持する手段とを持った安定性のある振動締め固めによるコンクリートカルバート成形用の型枠を新規に提供することにある。【解決手段】  本発明はコンクリートカルバートを振動締め固め成形する縦打ち型枠または横打ち型枠において、該コンクリートカルバートの雌端部の内面を成形する型枠をゴムによる部厚な角筒体にて形成し、該ゴムによる部厚な角筒体の内端を金属の内端輪版の外周端による嵌め当て止めと、該角筒体の外端を外周側から金属の外端輪版にて押当て止めすることにより、コンクリートカルバートの雌端部の内面を所定形状にて成形し得るようにしたことを特徴とする振動締め固めによるコンクリートカルバート成形用の型枠にある。【選択図】図２
2005170004.tif 000002
【特許請求の範囲】
【請求項１】
コンクリートカルバートを振動締め固め成形する縦打ち型枠または横打ち型枠において、該コンクリートカルバートの雌端部の内面を成形する型枠をゴムによる部厚な角筒体にて形成し、該ゴムによる部厚な角筒体の内端を金属の内端輪版の外周端による嵌め当て止めと、該角筒体の外端を外周側から金属の外端輪版にて押当て止めすることにより、コンクリートカルバートの雌端部の内面を所定形状にて成形し得るようにしたことを特徴とする振動締め固めによるコンクリートカルバート成形用の型枠。
【請求項２】
ゴムによる部厚な角筒体の内端にＶ形溝を周設し、金属の内端輪版に該Ｖ形溝に押し嵌入止めする折り爪を設けた請求項１記載の振動締め固めによるコンクリートカルバート成形用の型枠。
【請求項３】
ゴムによる部厚な角筒体の外面を平坦面若しくはほぼ平坦面にして、成形されるコンクリートカルバートの雌端部の内面を平坦形若しくは平坦に近い極く弛るい傾斜形にて成形する請求項１または２に記載の振動締め固めによるコンクリートカルバート成形用の型枠。
【発明の詳細な説明】
【技術分野】
【０００１】
本発明は振動締め固めによるコンクリートカルバート成形用の型枠に関するものである。
【背景技術】
【０００２】
本願出願人は特願２００２−０４６３５３にて振動締め固め成形するコンクリートカルバートの雌端と雄端の内外面を脱型可能において平坦形若しくは平坦に近い極くゆるい傾斜形にして、管路を構成するために雌雄端間を嵌合する際に雌雄端間にほぼ平行な間隙ができるようにして、該間隙内に圧入するゴム輪体を振動，衝動，衝撃，地盤沈下等により雌雄端間にずれ動き等が生じても圧入し続けるようにした耐震継手を提案している。
【０００３】
しかしながら、振動締め固め成形においては、コンクリートカルバートの雌端部の内面は成形時の振動によって型枠に位置ずれ，たわみ，浮き出しなどが生じて、所定形状に成形し得ないという成形不良を生ずるという課題があった。
【特許文献１】特願２００２−０４６３５３号
【発明の開示】
【発明が解決しようとする課題】
【０００４】
本発明が解決しようとする課題は、コンクリートカルバートの振動締め固めにおいて、雌端部の内面の型枠を振動によっても、位置ずれ、たわみ、浮き出しなどが生じないようすることにある。
【課題を解決するための手段】
【０００５】
本発明は、コンクリートカルバートを振動締め固め成形する縦打ち型枠または横打ち型枠において、該コンクリートカルバートの雌端部の内面を成形する型枠をゴムによる部厚な角筒体にて形成し、該ゴムによる部厚な角筒体の内端を金属の内端輪版の外周端による嵌め当て止めと、該角筒体の外端を外周側から金属の外端輪版にて押当て止めすることにより、コンクリートカルバートの雌端部の内面を所定形状にて成形し得るようにして、かかる課題を解決するようにしたのである。
【発明の効果】
【０００６】
本発明は、図５（ｂ）に示すように雄端部との間でインロー嵌合する雌端部の内面を外面と平行する形の平坦形若しくは極く弛るい傾斜形に成形するに当って、雌端部の内面を成形する型枠をゴムによる部厚な角筒体と、該ゴムによる部厚な角筒体の内端を金属の内端輪版の外周端の押し嵌めにて支持し、外端を金属の外端輪版の外周側からの押当てにて支持するようにして形成するようにしたのである。従って内面型枠としての部厚な角筒体は内外端にて強固に支持されるために、振動締め固め成形によく適応してコンクリートカルバートの雌端部の内面を所定形状にて且つ緻密に成形し得て、成形不良の発生を防止することができるという効果を生ずる。
【０００７】
振動締め固め成形するコンクリートカルバートの雌端部の内面を成形する型枠をゴムによる部厚な角筒体にて弾性をもって形成し、しかも角筒体の内端のＶ形溝に金属の内端輪版の外周端の折り爪による押し嵌め止めと、外端を外端輪版の外側からの押当て止めにて強固に支持するので、装着、解体が容易で所定形状の内面をだれなどなしに成形することができるという効果を生ずる。
【発明を実施するための最良の形態】
【０００８】
コンクリートカルバートを振動締め固め成形する縦打ち型枠または横打ち型枠において、雌端部の内面を成形する型枠をゴムによる部厚な角筒体にて形成し、該ゴムによる部厚な角筒体の内端にＶ形溝を周設し、金属の内端輪版の外周端に設ける角筒体方向に向いた折り爪を前記のＶ形溝に押し嵌入止めして角筒体の内端を強固に支持し、金属の外端輪版の外周側からの押当て止めにて角筒体の外端を強固に支持して、以ってコンクリートカルバートの振動締め固め成形の際に雌端部の内面を所定形状にて成形するものである。ゴムによる部厚な角筒体の外面を平坦面若しくは平坦面に近い極く弛るい傾斜面にして、成形されるコンクリートカルバートの雌端部の内面を外面と平行する平坦形若しくは平坦に近い極く弛るい傾斜形にて成形するのである。
【実施例１】
【０００９】
図１乃至図３は縦打ち型枠を用いてコンクリートカルバートを振動締め固め成形している状態を示す図で、図１はその全体断面図、図２は要部の拡大図である。振動締め固め成形用の縦打ち型枠１の内型枠１ａと外型枠１ｂ間の上端にインサート取付用のゴム輪体３を支持し、且つ雄端部４の外周面を平坦に成形するための雄端部成形用の型枠５をボルト２ａ，２ｂにて取外し自在において取付け、下端に雌端部成形用の型枠６を嵌め取付けする。
【００１０】
雌端部成形用の型枠６は図３に示すように、雌端部７の内面を成形する部分をゴムによる部厚な角筒体８にて形成し、該角筒体８の内端（上端）にＶ形溝９を周設し、外端（下端）には雌端部７の内側端面の面取り部を形成する外側傾斜部１１を設け、角筒体８の外周面は図３（ａ）（ｂ）に示すように平坦な垂直面１０若しくは垂直面に近い極く弛るい傾斜面１０ａにて形成する。しかして角筒体８の内端にＶ形溝９を周設して、該Ｖ形溝９に金属の内端輪版１２の外周端に設ける下向きの折り爪１３を押し嵌め止めして支持接続させ、外側傾斜部１１端を外周側から金属の外端輪版１４の押当て止めにて支持する。なお、１５は支持部材である。
【００１１】
型枠１は上端に雄端部成形用の型枠５と下端に雌端部成形用の型枠６を取付け、総体に振動を与えつつコンクリートＣを内外型枠１ａ，１ｂ間に投入してコンクリートカルバート１６を振動締め固め成形するのである。コンクリートＣの固化した後、雄端部成形用の型枠５をボルト２ａ，２ｂを弛めて取外して外型枠１ａを解体し、雌端部成形用の型枠６を抜き外して脱型することとなるが、平坦若しくは平坦に極く近い弛るい傾斜面に形成するにかかわらず、内面成形用の部厚な角筒体８がゴムにてなるので、一方を他方に押付けるなどゴムの弾性を利用して隙間を生じさせることにより容易に脱型することができることとなる。
【実施例２】
【００１２】
図４は横打ち型枠によりコンクリートカルバートを振動締め固め成形する状態を示す全体断面図を示すものであり、公知の横打ち型枠１７の前後端に雄型枠５と雌型枠６をそれぞれ横向きにして取付けてコンクリートカルバートを成形するようにしたほかは前例と同じである。ゴムによる部厚な角筒体８の内外端を内端輪版と外端輪版とにて強固に支持しているので、横打ち型枠１７においても装着、解体が容易で雌端部７の所定形状の内面をだれなしに成形することができる。
【産業上の利用可能性】
【００１３】
本発明は、振動締め固めによりコンクリートカルバートを成形するに際して、雌端部の内面成形用の型枠をゴムによる部厚な角筒体とその内端を押し嵌め支えする金属の内端輪版と外端を外周側から押当て支えする外端輪版とにて構成したので、雌端部の内面は位置ずれ、たわみ、浮き出しなどを生じないで雌端部の内面を所定の平坦若しくは平坦に近い極く弛るい傾斜形にて成形することができるので、平坦に成形する雄端部との嵌合間隙に嵌入するゴム輪体は、地震，衝撃，地盤沈下などによってカルバートにずれ動きが生じても引続き圧入状態を保ち続けることができ、水封止の効果を維持することとなる。
【図面の簡単な説明】
【００１４】
【図１】縦打ち型枠にてコンクリートカルバートを振動締め固め成形する状態を示す断面図
【図２】同、雌端部成形部分の拡大図
【図３】（ａ）はゴムによる部厚な角筒体の外周面を平坦（垂直）面にて形成した例を示す雌端部成形用型枠の部分断面図、（ｂ）は同、外周面を平坦（垂直）面に近い極く弛るい傾斜形に形成した例を示す断面図
【図４】横打ち型枠によるコンクリートカルバートの成形例を示す断面図である。
【図５】（ａ）は本発明にて成形されたコンクリートカルバートの１例を示す斜視図、（ｂ）は嵌合接続前の状態にて示す雄端部と雌端部の部分拡大断面図
【符号の説明】
【００１５】
１は縦打ち型枠
１ａは内型枠
１ｂは外型枠
２ａ，２ｂはボルト
３はゴム輪体
４は雄端部
５は雄端部成形用型枠
６は雌端部成形用型枠
７は雌端部
８はゴムによる部厚な角筒体
９はＶ形溝
１０は平坦面
１０ａは極く弛るい傾斜面
１１は外側傾斜部
１２は金属の内端輪版
１３は折り爪
１４は金属の外端輪版
１５は支持部材
１６はコンクリートカルバート
１７は横打ち型枠
【図１】
2005170004.tif 000003
【図２】
2005170004.tif 000004
【図３】
2005170004.tif 000005
【図４】
2005170004.tif 000006
【図５】
2005170004.tif 000007